(57)【要約】【課題】取扱いや携帯が容易で、バインダ、手帳等に差し込むことも、そのままで取扱いや携帯も可能な、本又は冊子及びその製造方法に関し、従来、本等において読みたい部分のみを容易に持ち運べるようにしたものはあったが、本等が分割されて保管の手間が大きくなること、そのまま本等を持ち運ぶことが困難であること、カバー等を変更できないことその他商品価値の低下や流通・保管等のコスト増が生じていた。【解決手段】本又は冊子の本体の中綴じ部の見開き方向両側には、中心線と平行に、別の綴り部材により本等を綴る複数の綴り孔が列をなして形成され、カバー又はジャケットは、綴り孔を有することなく、複数の綴り孔の開口部を隠すように装幀したものである。これにより、課題を解決するほか、手頃な厚みで持ちやすく、読み物や書き物等として取り扱いやすく、個々の好みでカスタマイズした集合体としてまとめられる本又は冊子が得られる。【選択図】図２
2020104354.tif 000002
【特許請求の範囲】
【請求項１】
左右方向に複数枚の紙葉を見開きの状態としたときのほぼ中心線を構成する部分が中綴じ用止め具で固定され、前記止め具で止められた中心線部分を谷側として折り畳まれた本又は冊子の本体を備え、カバー又はジャケットにより装幀されている、本又は冊子であって、
前記本又は冊子の前記本体の中綴じ部分の見開き方向両側には、前記中心線と平行に、別の綴り部材により前記本又は冊子を綴る複数の綴り孔が列をなして形成され、
前記カバー又はジャケットは、前記綴り孔を有しておらず、前記複数の綴り孔の開口部を隠す装幀であることを特徴とする本又は冊子。
【請求項２】
前記本又は冊子は、前記カバー又はジャケット上に帯を有する、請求項１記載の本又は冊子。
【請求項３】
前記カバー又はジャケットは、表裏面に印刷面が形成され、一方の面のみを本又は冊子の情報を含む印刷面とする、請求項１又は２に記載の本又は冊子。
【請求項４】
前記別の綴り部材は、手帳又はバインダに設けられた綴り部材である、請求項１〜３のいずれか一項に記載の本又は冊子。
【請求項５】
前記別の綴り部材は、綴り部材のみからなる、請求項１〜３のいずれか一項に記載の本又は冊子。
【請求項６】
前記本又は冊子は、包装材により包装された包装体である、請求項１〜５のいずれか一項に記載の本又は冊子。
【請求項７】
本又は冊子の製造方法であって、
左右方向に複数枚の紙葉を見開きの状態として、そのほぼ中心線を構成する部分を中綴じ用止め具で固定し、
前記止め具で止められた中心線部分を谷側として折り畳んで本又は冊子の本体を形成し、
前記本又は冊子の前記本体の中綴じ部分の見開き方向両側に、前記中心線と平行に、別の綴り部材により前記本又は冊子を綴る複数の綴り孔を列をなして形成し、
綴り孔を有しないカバー又はジャケットを、前記本体の前記複数の綴り孔の開口部を隠すように装幀することを特徴とする、本又は冊子の製造方法。
【請求項８】
前記カバー又はジャケットで装幀された前記本体をさらに帯により装幀する、請求項７記載の本又は冊子の製造方法。
【請求項９】
包装材により包装して包装体とする、請求項７又は８に記載の本又は冊子の製造方法。
【発明の詳細な説明】
【技術分野】
【０００１】
本発明は、製本・装幀される、歌詞、楽譜、小説、説明書その他の本又は冊子及びその製造方法に関し、特に、取扱いや携帯が容易で、バインダ、手帳等に差し込むことも、本又は冊子としてそのままで取扱いや携帯が可能な、本又は冊子及びその製造方法に関する。
【０００２】
なお、ここで、「本」又は「冊子」の用語は、種々の定義や特定の態様に限定されるものではなく、本発明の目的に沿う限り、あらゆる形態のものを含むものである。したがって、通常の著作物を印刷した本又は冊子はもちろん、例えば、マイブックと称されるが如き、少なくとも一部又は全部に印刷されていない部分を有する本又は冊子も含むものである。
また、当業者には明らかであるが、「中綴じ」及び「無線綴じ」の用語は、製本技術の分野における通常の意味において用いるものとする。
【背景技術】
【０００３】
従来、本又は冊子（以下、必要に応じて「本等」と略記する。）は、製本されて、カバー又はジャケット、必要に応じてさらに帯を付けるなどの装幀がされて、店舗や図書館等において、陳列、販売、閲覧等がされていた。
【０００４】
しかしながら、カバー又はジャケットは、本等の装幀の一部であるので、本等の出版社等が製作した既定のものが用いられ、自由な差し替えを想定して販売されるものではなかった。そのため、読者等が、カバー又はジャケットを外して別の任意のカバー又はジャケットを購入して差し替えて用いるか、カバー又はジャケットあるいは帯とともにその上にさらに任意のカバー又はジャケットで覆って用いることが多くみられる。これは、どのような本等を読んでいるかが他人からわからないようにしたいとのプライバシー保護の観点以外にも、本等の傷みや汚損を防ぐこと（特に帯等は破れやすく、本としての商品価値が低下する。）や、カバー又はジャケットや帯付きのままで持ち運ぶ際の手間等を考慮して行われていたものである。
【０００５】
そこで、このような問題に対処するために、一例として、下記特許文献１にみられるような、綴り部材を備えたカバー又はジャケットからなる文具に対応するよう、綴り孔があらかじめ形成されている文庫本も知られていた。
【先行技術文献】
【特許文献】
【０００６】
【特許文献１】特開平１１−２９１６６１号公報
【０００７】
図６に示すように、特許文献１に記載されたものは、システム手帳に綴じられる文庫本であり、文庫本１０１の背側１０４に近いところにあらかじめシステム手帳の綴り具に対応した綴り孔１０２を穿孔しておくとともに、製本を無線綴じとして接着剤１０３により糊付けをし、又は糊付けを行わずに、自由に必要な部分を抜き取ってシステム手帳に綴り込んで用いるものである。
【発明の概要】
【発明が解決しようとする課題】
【０００８】
上記のような構成とすることで、本等の読みたい部分のみを容易に持ち運び又は携帯することができ、本等の取り扱いが容易となる側面もあるが、それでもなお、次のような問題点があった。
【０００９】
すなわち、一度抜き出した部分は抜き出す前の元の本等と分離されたものとなり、異なる箇所を抜き出す都度、本等がバラバラに分離され、その保管の手間が大きくなってくる。特に、頁数が多い場合や、少ない頁毎に抜き出して分離した場合には、バラバラに分離された本等を章、頁等の順序を維持しつつ保管することが必要となり、愛読書、参考書等のように何度か読み返す場合の手間は大きいものとなる。さらに、糊付けを行わない場合は、最初から頁が分離されているので、さらに手間がかかるものであった。
【００１０】
また、システム手帳等のカバー又はジャケットからなる文具を必要とするので、比較的頁数の少ない本等の場合には、そのまま本等を持ち運ぶことが有利であるにもかかわらず、本等よりも嵩張ることとなり、持ち運びの手間が増加するものであった。また、本等の構造が必要な部分を抜き取れるものであることから、本等がばらけるおそれがあり、そのまま持ち運ぶことは困難であった。
【００１１】
さらに、カバー（ジャケット）を、読者等の好みや趣向に応じて変更したい場合には、比較的高価な綴り具を備えたシステム手帳等の文具を複数用意しないとならないので、コスト高かつ煩雑さを招くものであった。
【００１２】
加えて、本等の全体に綴り孔が設けられているので、表面に印刷された絵柄や文字等を製作する場合に綴り孔の存在を考慮するなどの制約が課されて見栄えが劣る場合があることや、書架や書棚からの出し入れや流通・保管の際に綴り孔の開口縁部の傷みや開口部の破れなど本等の商品価値の低下や流通・保管等のコストの増加を招くおそれがあった。
【課題を解決するための手段】
【００１３】
本発明（請求項１に対応する構成）は、上記の問題点を解決するために、以下の構成とした。
すなわち、左右方向に複数枚の紙葉を見開きの状態としたときのほぼ中心線を構成する部分が中綴じ用止め具で固定され、前記止め具で止められた中心線部分を谷側として折り畳まれた本又は冊子の本体を備え、カバー又はジャケットにより装幀されている、本又は冊子であって、
前記本又は冊子の前記本体の中綴じ部分の見開き方向両側には、前記中心線と平行に、別の綴り部材により前記本又は冊子を綴る複数の綴り孔が列をなして形成され、
前記カバー又はジャケットは、前記綴り孔を有しておらず、前記複数の綴り孔の開口部を隠す装幀である。
【００１４】
本発明の本又は冊子は、上記の構成により、頁数を一定程度に収め、本等をそのまま持ち運ぶことや携帯することを容易にし、必要がある場合には綴り部材を備えた手帳等に差し込むことも可能であり、また、カバー又はジャケットの交換が容易で、装幀による見栄えや製作の容易性を高めたものである。
【００１５】
請求項２に係る本発明は、請求項１に対応する構成に加えて、さらに、前記カバー又はジャケット上に帯を有するものである。それにより、帯の文字や図柄により、広告や当該本等に関連する情報を掲載することができる。
【００１６】
請求項３に係る本発明は、請求項１，２に対応する構成に加えて、さらに、カバー又はジャケットの表裏面に印刷面が形成され、一方の面のみを本又は冊子の情報を含む印刷面とするものであり、同じカバー又はジャケットでありながら、全体としての外観をほとんど変えることなく、本又は冊子の情報を表す側と表さない側とを任意に選択して使用することができる。
【００１７】
請求項４に係る本発明は、請求項１乃至３に対応する構成に加えて、本等の綴り孔が手帳又はバインダに設けられた綴り部材に綴られるためのものである。それにより、本発明の本等を手帳に容易に差し込むことができる。
【００１８】
請求項５に係る本発明は、請求項１乃至３に対応する構成に加えて、リング綴じのように綴り部材が綴り部材のみからなるものである。この場合には、中綴じ製本された上でさらにリング綴じがされることとなる。それにより、本発明の本等を綴り部材の無いバインダでも綴り部材と係合する部材があれば差し込むことができる。
【００１９】
請求項６に係る本発明は、請求項１乃至５に対応する構成に加えて、樹脂、紙等の包装材により包装して包装体とするものである。それにより、本発明の本等の傷みや汚損を防止することができる。
【００２０】
請求項７，８に係る本発明は、請求項１，２に係る本発明の本等の製造方法を特定するものであり、常法にしたがって製本・装幀を行っているが、前記本体が、綴り孔を有しないカバーもしくはジャケットで、前記本体の前記複数の綴り孔の開口部を隠すように装幀されたものである。それにより、請求項１，２に係る本発明の本等を製造することができる。
【００２１】
請求項９に係る本発明は、請求項７、８に係る本発明の本等の製造方法において、樹脂、紙等の包装材により包装して包装体とするものである。それにより、本等の傷みや汚損を防止した本発明の本等を製造することができる。
【発明の効果】
【００２２】
以上のとおり、本発明の本等は、上記の構成により、頁数を一定程度に収め、持ち運びや携帯を容易としながら、必要に応じて、綴り部材を備えた手帳等に差し込むこと（綴り込むこと）を可能としたものである。また、カバー（ジャケット）の交換が容易で、装幀による見栄えや製作の容易性を高めることができる。
【００２３】
さらに、本等の流通・保管等の過程における商品価値の低下や流通・保管等のコストの増加を防ぐことができる。
【００２４】
特に、本発明によれば、読者等の好みや趣向その他本等の内容などにも応じて、色、文字、絵柄、図柄等の異なるカバー又はジャケットに容易かつ安価に変更することができるだけでなく、綴り部材を用いることなく本等をそのまま単体で持ち運ぶことも、綴り部材を用いて本等を持ち運ぶことも、読者等が自由に選択できるので、本等の取扱いの利便性が高まるなどの点で優れた効果を有する。
【図面の簡単な説明】
【００２５】
【図１】本発明の一実施例である本等の本体の斜視図。
【図２】本発明の一実施例である本等の展開図。
【図３】本発明の一実施例である本等の全体の斜視図。
【図４】本発明の一実施例である本等を仮想的に表示する表示装置の正面図。
【図５】本発明の一実施例である本等の利用形態を示す斜視図。
【図６】従来の本等の斜視図。
【発明を実施するための形態】
【実施例】
【００２６】
図１に本発明の一実施例である本等の本体の斜視図を、また、図２に同様に本等の展開図を示す。本等の本体２は、中綴じにより製本されているいわゆる中綴じ本１である。図上、左右方向に複数枚の紙葉３を見開きの状態としたときのほぼ中心線８を構成する部分をステープラー等の中綴じ用止め具４で固定し、止め具４で止められた中心線部分を谷側として折り畳むことにより中綴じ本１が完成される。
【００２７】
紙葉３は、その材質が通常の紙のみに限られるものではなく、合成紙、合成樹脂、電子ペーパー等であってもよく、およそ本等の材料として用いられるものは利用可能である。
【００２８】
中綴じ本１の本体２の中心線８の左右方向両側には、それぞれ中心線８とほぼ平行に列をなして複数の綴り孔５が形成されている。綴り孔５は、綴り部材である綴り具を備える文具１０の綴り具と係合するものである。両側の綴り孔５は、中心線８を谷側として紙葉３を折り畳んだ際に相重なり合う位置に形成されている。一列の綴り孔５の数は、二つ以上であれば任意の数のものとすることができる。通常、日本工業規格（ＪＩＳ）等の規格に準じ、２、３、４、６、１３などの孔数が用いられるが、その数は任意のものとすることができる。また、一列の複数の綴り孔５の位置は、それぞれ隣り合う綴り孔５の間の間隔が均一であっても不均一であってもよいし、図１，２に示すように、所定数の綴り孔５を所定間隔で位置させて綴り孔のグループを複数構成し、その所定間隔とは異なる間隔でそれら複数のグループを位置させてもよい。
【００２９】
中綴じ本の紙葉３の枚数も、２枚以上のものであれば任意の枚数として差支えない。しかし、中綴じ本の製本構造から、枚数が増えるほど折り畳み性と紙葉の図上の左右端の揃い性が悪くなるので１６枚（６４頁）程度が好ましい。なお、一枚の紙葉３の材質、厚さ、剛性等の差異によって、同じ枚数の紙葉を重ねた時の折り畳み性や揃い性は変化するので、必ずしも１６枚以外の枚数とすることを排除するものではない。
【００３０】
本等は、カバー（ジャケット）６により覆われて装幀され、流通、保管等がされることが通常であるが、図２に示すとおり、本発明も同様に、中綴じ本１の本体２がカバー（ジャケット）６により装幀されている。ここで、カバー（ジャケット）６には、中綴じ本１の本体２のような綴り孔５は形成されていない。また、カバー（ジャケット）６上には、さらに必要に応じて帯７を装幀することができる。ここで、帯７にも、中綴じ本１の本体のような綴り孔５が形成されていない。
【００３１】
図３に、このような本等の全体の外観を示す。図に示す通り、中綴じ本１の綴り孔５は、カバー（ジャケット）６又は帯７によって覆い隠され、外側からは、そのような綴り孔５は見えないように構成されている。
【００３２】
カバー（ジャケット）６の表面は、通常、印刷面に形成され、タイトル等の本等の情報や図柄が掲載されているが、その裏面に同じ印刷面を形成しても良い。この場合、一方の面のみを本等の情報を含む印刷面としてもよい。このようにすると、同じカバー（ジャケット）６でありながら、表裏面を入れ替えるだけで、全体のデザイン等の外観をほとんど変えることなく、本又は冊子の情報を表す側と表さない側とを任意に選択して使用することができ、例えば、本等の情報のみを隠すことができるなど、本等の利便性が向上する。
【００３３】
なお、カバー（ジャケット）６は、同図上、上下方向が必ずしも本体２と同寸のものでなくともよく、本発明の目的に沿うものであれば、たとえば本体２の構造を読者等が見てとれるようにするために、全ての綴り孔５を隠すように装幀されていなくとも差支えない。また、カバー（ジャケット）６の上下の縁は、同図上、左右方向に見て傾斜しているものでもよいし、曲線、弧状、凹凸状等任意の形状であってもよい。
【００３４】
このような本等は、中綴じ本１の本体に綴り孔５が形成されているにもかかわらず、カバー（ジャケット）６は通常の本又は冊子と同じ構造により装幀されており、綴り孔５は形成されていない。したがって、綴り孔５の存在を考慮する必要がなく、カバー（ジャケット）６の色、文字、絵柄、図柄等の制作上の制約がなく、見栄えが劣ることもない。
【００３５】
カバー（ジャケット）６は、書店、コンビニ等の店舗、カタログ通販、ネット店舗、図書館などの読者等をその本又は冊子やその内容に注目させる絵柄や文字などが印刷され、帯７には、絵柄や文字などにより、広告や当該本等に関連する情報を掲載することができる。カバー（ジャケット）６又は帯７に印刷される内容はこれらに限らず、任意のものとすることができる。なお、印刷には、二次元のものだけではなく、装飾用の凹凸や点字等の立体形状を備えるものも含まれる。また、本等としての構造を有していれば、少なくとも一部又は全部に印刷を行わないものも含むものである。
【００３６】
図示しないが、店舗等における本等の立ち読みを防ぐためや、本等の傷みや汚損を防ぐためなどの目的で、それを樹脂、紙等の包装材を用いて包装したり、袋状や箱状の包装材を用いて包装した包装体とすることも好ましい。包装材は、全部又は一部が透明又は不透明であってもよい。なお、ここで、包装体とは、内容物と包装材を合わせた総称である。
【００３７】
続いて、本等の陳列形態を例示する。
【００３８】
本等は、図３に示した状態で、流通・保管等がされ、店舗、図書館等において書架、書棚に載置されて陳列される。
【００３９】
このような本等は、読者等がその利用方法を容易に理解できるよう、中綴じ本１の本体２、カバー（ジャケット）６又は帯７の一部又は全部を、別々に載置して陳列することも可能である。
【００４０】
図４（ａ）及び（ｂ）に、本等を仮想的に表示することにより陳列する表示装置９を示す。この表示装置９は、液晶ディスプレイ等の画面を備える電子機器であり、その画面上に、中綴じ本１を表示している。図４（ａ）では、中綴じ本１の本体２、カバー（ジャケット）６又は帯７を別々に表示しているが、図４（ｂ）のように、これらを一緒にした中綴じ本の全体を表示しても良い。また、図示しないが、本体２とカバー（ジャケット）６及び帯７とを二分して表示してもよい。
【００４１】
図４（ａ）の例では、仮想的に、表示装置それ自体を書架又は書棚と見做し得る。表示はどのような手段によっても良く、写真、スライド、動画、ＣＧ等が利用可能である。
【００４２】
また、図４（ｂ）のように、書架又は書棚を表示するとともに、中綴じ本１を書架又は書棚に載置した状態で表示することも可能である。この場合、仮想的ではなく、実際の書架又は書棚に同じ態様、すなわち、本等を一部又は一冊ずつ自立させた態様で陳列することももちろん可能である。
【００４３】
図示していないが、中綴じ本１と書架又は書棚を、載置した状態ではなく、別々に表示してもよい。
【００４４】
その他に、本等の利用の仕方を容易に理解できるように連続的又は動的な表示を行うことや、本等を一部又は一冊ずつ吊下して陳列することも可能である。
【００４５】
続いて、本等の利用形態を例示する。
【００４６】
図５（ａ）及び５（ｂ）は、通常の本等と同様に、そのままで保管、持ち運び、携帯することが可能な形態である。しかし、図５（ａ）及び５（ｂ）は、カバー（ジャケット）６が利用者により交換されて異なるものとされている。図５（ｃ）は、本等の本体２をバインダ等の綴り具を備えた文具１０に綴り込んだ形態、すなわち差し込んだ形態である。
【００４７】
以上のとおり、本発明の本等の一実施例によれば、カバー（ジャケット）６に綴り孔５が形成されていないので、見栄えが良い。その一方で、カバー（ジャケット）６を取り外すことにより、簡単に、システム手帳、バインダ等の綴り具を備えた文具１０に差し込むことができるものである。
【００４８】
このカバー（ジャケット）６は、任意のものが使用でき、様々な色、文字、絵柄、図柄等を施したカバー（ジャケット）６を別に購入するなどして用意しておくことにより、同じ内容の本等でありながら、所有者が好むカバー（ジャケット）６に交換することができ、たとえば、一冊の本等を、同居する家族で回し読みする場合にも、個々人の好む異なるカバーを用いることができることになり、持ち運びだけでなく、読者等の識別にも役立つなど、本等の利便性が高くなる。逆に、同じカバー（ジャケット）のまま、本体のみを差し替えて持ち運ぶことができるので、常に読者等の好みのカバー（ジャケット）で内容の異なる本等とすることもできる。このように、本等の本体とカバー（ジャケット）の組み合わせは自由にできる。
【００４９】
また、本等の表裏面に印刷面を形成し、一方の面のみをタイトル情報等の本等の情報を含む印刷面とした場合には、同じカバー（ジャケット）でありながら、表裏面を入れ替えるだけで、全体のデザイン等の外観をほとんど変えることなく、本又は冊子の情報を表す側と表さない側とを任意に選択して使用することができ、例えば、本等の情報のみを隠すことができるなど、本等の利便性が向上する。
【００５０】
さらに、頁数の多い本等を、たとえば章毎などに分冊化して、それぞれの分冊を本発明の本等とすれば、その都度読みたい分冊を持ち運ぶこともできるほか、複数の異なる本発明の本等を個々の好みでカスタマイズして集合体としてまとめて一つの綴り具を備えた文具に差し込むこともできるものである。
【符号の説明】
【００５１】
１  中綴じ本
２  本体
３  紙葉
４  止め具
５  綴り孔
６  カバー（ジャケット）
７  帯
８  中心線
９  表示装置（ディスプレイ）
１０  綴り具を備えた文具
１０１  文庫本
１０２  綴り孔
１０３  接着剤
１０４  背側
【図１】
2020104354.tif 000003
【図２】
2020104354.tif 000004
【図３】
2020104354.tif 000005
【図４】
2020104354.tif 000006
【図５】
2020104354.tif 000007
【図６】
2020104354.tif 000008